(57)【特許請求の範囲】
【請求項１】
端末機器の無線ＬＡＮへの接続を制御する方法であって、
スマート端末機器が無線ＬＡＮの第１の接続情報を取得するステップと、
前記スマート端末機器が前記第１の接続情報が正しいか否かを検証するステップと、
前記第１の接続情報が正しいと判断された場合、前記スマート端末機器が、ユーザインターフェースを有しないとともに前記スマート端末機器からのメッセージをモニタリングすることが可能な第１の端末機器に前記第１の接続情報を送信することにより、前記第１の端末機器が前記第１の接続情報を用いて前記無線ＬＡＮに接続するようにするステップと、
前記第１の接続情報が正しくないと判断された場合、前記スマート端末機器がユーザに前記第１の接続情報が正しくない提示情報を提示して、ユーザが前記提示情報によって正しい接続情報を入力するように促すステップと、
を含み、
前記スマート端末機器が前記第１の接続情報が正しいか否かを検証するステップは、
ネットワークデバイスに、少なくとも前記第１の接続情報を含む接続情報転送要求を送信することにより、前記ネットワークデバイスが前記接続情報転送要求を解読して前記第１の接続情報を取得して、前記第１の接続情報を前記ネットワークデバイスに接続されている第２の端末機器に転送し、そして、前記第２の端末機器が前記第２の端末機器中に前記第１の接続情報と同一の第３の接続情報が含まれているか否かを検出するようにするステップと、
前記ネットワークデバイスにより送信される正しいという検出結果を受信する場合、前記第１の接続情報が正しいと判断するステップと
を含み、
前記正しいという検出結果は、前記第２の端末機器により、前記第２の端末機器中に前記第１の接続情報と同一の第３の接続情報が含まれていると検出された際に、前記ネットワークデバイスに送信される検出結果である
ことを特徴とする方法。
【請求項２】
端末機器の無線ＬＡＮへの接続を制御する方法であって、
ネットワークデバイスが、スマート端末機器からそのユーザインターフェースを介して送信され、且つ少なくとも第１の接続情報を含む接続情報転送要求を受信するステップと、
前記ネットワークデバイスが、前記接続情報転送要求を解読して前記第１の接続情報を取得するステップと、
前記ネットワークデバイスが、第２の端末機器に前記第１の接続情報を送信するステップと、
前記第２の端末機器が、前記第２の端末機器中に前記第１の接続情報と同一の第３の接続情報が含まれているか否かを検出するステップと、
前記第２の端末機器中に前記第１の接続情報と同一の第３の接続情報が含まれていることが検出された際に、前記第２の端末機器により正しいという検出結果を生成するステップと、
前記ネットワークデバイスが、前記第２の端末機器からの正しいという検出結果を前記スマート端末機器に送信することにより、前記スマート端末機器が前記第１の接続情報をユーザインターフェースを有しないとともに前記スマート端末機器からのメッセージをモニタリングすることが可能な第１の端末機器に送信し、前記第１の端末機器が前記第１の接続情報を用いて無線ＬＡＮに接続するようにするステップと
を含み、
前記第１の接続情報が正しくないと、前記スマート端末機器がユーザに前記第１の接続情報が正しくない提示情報を提示して、ユーザが前記提示情報によって正しい接続情報を入力するようにすることを特徴とする方法。
【請求項３】
端末機器の無線ＬＡＮへの接続を制御する方法であって、
第２の端末機器が、スマート端末機器からそのユーザインターフェースを介してネットワークデバイスに送信されてから、前記ネットワークデバイスにより送信されてくる第１の接続情報を受信するステップと、
前記第２の端末機器が、自機に記憶されている接続情報中に前記第１の接続情報と同一の第３の接続情報が含まれているか否かを検出するステップと、
自機中に前記第１の接続情報と同一の第３の接続情報が記憶されている場合、前記第２の端末機器が、正しいという検出結果を取得するステップと、
前記第２の端末機器が、前記ネットワークデバイスに前記正しいという検出結果を送信することにより、前記ネットワークデバイスが前記正しいという検出結果を前記スマート端末機器に送信し、そして、前記スマート端末機器が前記正しいという検出結果に基づいて前記第１の接続情報をユーザインターフェースを有しないとともに前記スマート端末機器からのメッセージをモニタリングすることが可能な第１の端末機器に送信して、前記第１の端末機器が前記第１の接続情報に基づいて無線ＬＡＮに接続するようにするステップと
を含み、
前記第１の接続情報が正しくないと、前記スマート端末機器がユーザに前記第１の接続情報が正しくない提示情報を提示して、ユーザが前記提示情報によって正しい接続情報を入力するようにすることを特徴とする方法。
【請求項４】
端末機器の無線ＬＡＮへの接続を制御する装置であって、
スマート端末機器に無線ＬＡＮの第１の接続情報を取得するようにさせるための取得モジュールと、
前記スマート端末機器に前記第１の接続情報が正しいか否かを検証するようにさせるための検証モジュールと、
前記第１の接続情報が正しいと判断された場合、前記スマート端末機器に、ユーザインターフェースを有しないとともに前記スマート端末機器からのメッセージをモニタリングすることが可能な第１の端末機器に前記第１の接続情報を送信するようにさせることにより、前記第１の端末機器が前記第１の接続情報を用いて前記無線ＬＡＮに接続するようにするための送信モジュールと
を備え、
前記第１の接続情報が正しくないと判断された場合、前記スマート端末機器がユーザに前記第１の接続情報が正しくない提示情報を提示して、ユーザが前記提示情報によって正しい接続情報を入力するように促し、
前記検証モジュールは、
ネットワークデバイスに、少なくとも前記第１の接続情報を含む接続情報転送要求を送信することにより、前記ネットワークデバイスが前記接続情報転送要求を解読して前記第１の接続情報を取得して、前記第１の接続情報を前記ネットワークデバイスに接続されている第２の端末機器に転送し、そして、前記第２の端末機器が前記第２の端末機器中に前記第１の接続情報と同一の第３の接続情報が含まれているか否かを検出するようにするための送信サブモジュールと、
正しいという検出結果を受信したか否かを検出するための検出サブモジュールと、
前記ネットワークデバイスにより送信される正しいという検出結果を受信する場合、前記第１の接続情報が正しいと判断するための判断サブモジュールと
を備え、
前記正しいという検出結果は、前記第２の端末機器により、前記第２の端末機器中に前記第１の接続情報と同一の第３の接続情報が含まれていると検出された際に、前記ネットワークデバイスに送信される検出結果である
ことを特徴とする装置。
【請求項５】
端末機器の無線ＬＡＮへの接続を制御する装置であって、
第２の端末機器に、スマート端末機器からそのユーザインターフェースを介してネットワークデバイスに送信されてから、前記ネットワークデバイスにより送信されてくる第１の接続情報を受信するようにさせるための受信モジュールと、
前記第２の端末機器に、自機に記憶されている接続情報中に前記第１の接続情報と同一の第３の接続情報が含まれているか否かを検出するようにさせ、自機中に前記第１の接続情報と同一の第３の接続情報が記憶されている場合、正しいという検出結果を取得するための検出モジュールと、
前記第２の端末機器から前記ネットワークデバイスに前記正しいという検出結果を送信することにより、前記ネットワークデバイスが前記正しいという検出結果を前記スマート端末機器に送信し、そして、前記スマート端末機器が前記正しいという検出結果に基づいて前記第１の接続情報をユーザインターフェースを有しないとともに前記スマート端末機器からのメッセージをモニタリングすることが可能な第１の端末機器に送信して、前記第１の端末機器が前記第１の接続情報に基づいて無線ＬＡＮに接続するようにするための送信モジュールと
を備え、
前記第１の接続情報が正しくないと、前記スマート端末機器がユーザに前記第１の接続情報が正しくない提示情報を提示して、ユーザが前記提示情報によって正しい接続情報を入力するようにすることを特徴とする装置。
【請求項６】
プロセッサと、
前記プロセッサにより実行可能なインストラクションを記憶するためのメモリと
を備え、
前記プロセッサは、
スマート端末機器が無線ＬＡＮの第１の接続情報を取得し、
前記スマート端末機器が前記第１の接続情報が正しいか否かを検証し、
前記第１の接続情報が正しいと判断された場合、前記スマート端末機器が、ユーザインターフェースを有しないとともに前記スマート端末機器からのメッセージをモニタリングすることが可能な第１の端末機器に前記第１の接続情報を送信することにより、前記第１の端末機器が前記第１の接続情報を用いて前記無線ＬＡＮに接続し、
前記第１の接続情報が正しくないと判断した場合、前記スマート端末機器がユーザに前記第１の接続情報が正しくない提示情報を提示して、ユーザが前記提示情報によって正しい接続情報を入力するように促し、
前記スマート端末機器が前記第１の接続情報が正しいか否かを検証する際に、
ネットワークデバイスに、少なくとも前記第１の接続情報を含む接続情報転送要求を送信することにより、前記ネットワークデバイスが前記接続情報転送要求を解読して前記第１の接続情報を取得して、前記第１の接続情報を前記ネットワークデバイスに接続されている第２の端末機器に転送し、そして、前記第２の端末機器が前記第２の端末機器中に前記第１の接続情報と同一の第３の接続情報が含まれているか否かを検出するようにし、
前記ネットワークデバイスにより送信される正しいという検出結果を受信する場合、前記第１の接続情報が正しいと判断する
ように構成され、
前記正しいという検出結果は、前記第２の端末機器により、前記第２の端末機器中に前記第１の接続情報と同一の第３の接続情報が含まれていると検出された際に、前記ネットワークデバイスに送信される検出結果である
ことを特徴とする端末装置。
【請求項７】
プロセッサと、
前記プロセッサにより実行可能なインストラクションを記憶するためのメモリと
を備え、
前記プロセッサは、
第２の端末機器が、スマート端末機器からそのユーザインターフェースを介してネットワークデバイスに送信されてから、前記ネットワークデバイスにより送信されてくる第１の接続情報を受信し、
前記第２の端末機器が、自機中に前記第１の接続情報と同一の第３の接続情報が記憶されているか否かを検出し、
自機中に前記第１の接続情報と同一の第３の接続情報が記憶されている場合、前記第２の端末機器が、正しいという検出結果を取得し、
前記第２の端末機器が、前記ネットワークデバイスに前記正しいという検出結果を送信することにより、前記ネットワークデバイスが前記正しいという検出結果を前記スマート端末機器に送信し、そして、前記スマート端末機器が前記第１の接続情報をユーザインターフェースを有しないとともに前記スマート端末機器からのメッセージをモニタリングすることが可能な第１の端末機器に送信して、前記第１の端末機器が前記第１の接続情報に基づいて無線ＬＡＮに接続し、
前記第１の接続情報が正しくないと、前記スマート端末機器がユーザに前記第１の接続情報が正しくない提示情報を提示して、ユーザが前記提示情報によって正しい接続情報を入力するようにする
ように構成されることを特徴とする端末機器。
【請求項８】
スマート端末機器のプロセッサに実行されることにより、請求項１に記載の方法を実現することを特徴とするプログラム。
【請求項９】
第２の端末機器のプロセッサに実行されることにより、請求項３に記載の方法を実現することを特徴とするプログラム。
【請求項１０】
請求項８に記載のプログラムが記録された記録媒体。
【請求項１１】
請求項９に記載のプログラムが記録された記録媒体。
【発明の詳細な説明】
【技術分野】
【０００１】
本発明は、無線通信の技術分野に関し、特に端末機器の無線ネットワークへ接続する方法及び装置、プログラム及び記録媒体に関する。
【背景技術】
【０００２】
無線ネットワーク通信技術の発展に伴い、多くの端末機器が、例えばＷＩＦＩ（Ｗｉｒｅｌｅｓｓ−Ｆｉｄｅｌｉｔｙ）などのような無線ネットワーク通信技術を通じて無線ＬＡＮに接続できるようになっている。
【０００３】
端末機器は、該当する無線ＬＡＮに接続するために接続情報が必要である。前記接続情報は、例えばＳＳＩＤ（Ｓｅｒｖｉｃｅ  Ｓｅｔ  Ｉｄｅｎｔｉｆｉｅｒ）とパスワードを含む。端末機器は、ＳＳＩＤを利用して該当する無線ＬＡＮを探し出し、また、当該無線ＬＡＮにアクセスパスワードが設定されている場合、当該無線ＬＡＮに接続するために正しいパスワードを入力する必要がある。しかし、例えばＷＩＦＩスマートパワーソケットのような一部の端末機器がユーザインターフェースを備えていないため、ユーザは、ユーザインターフェースを有しているスマート端末機器を用いて接続情報を入力して、無線ＬＡＮへの接続情報を無線ＬＡＮに接続しようとする端末機器に送信することにより、当該端末機器が当該接続情報を用いて無線ＬＡＮに接続するようにする必要がある。しかし、ユーザの入力したＳＳＩＤ又はパスワードが正しくないと、端末機器が無線ＬＡＮに正常に接続できなくなってしまうので、端末機器が無線ＬＡＮに接続する成功率が低下してしまう。
【発明の概要】
【発明が解決しようとする課題】
【０００４】
本発明は、従来技術に存在する上記のような問題を解決するためになされたものであり、端末機器の無線ネットワークへ接続する方法及び装置、プログラム及び記録媒体を提供する。
【課題を解決するための手段】
【０００５】
本発明の実施例に係る第１形態によれば、
端末機器の無線ＬＡＮへの接続を制御する方法であって、
無線ＬＡＮの第１の接続情報を取得するステップと、
前記第１の接続情報が正しいか否かを検証するステップと、
前記第１の接続情報が正しいと判断された場合、第１の端末機器に前記第１の接続情報を送信することにより、前記第１の端末機器が前記第１の接続情報を用いて前記無線ＬＡＮに接続するようにするステップと
を含む方法を提供する。
【０００６】
第１形態と結合して、第１形態の一つ目の実行可能な実施形態において、
前記第１の接続情報が正しいか否かを検証するステップは、
前記第１の接続情報に対応する無線ＬＡＮに、少なくとも前記第１の接続情報を含む接続要求を送信するステップと、
接続成功の応答情報を受信したか否かを検出するステップと、
接続成功の応答情報を受信した場合、前記第１の接続情報が正しいと判断するステップと
を含む。
【０００７】
第１形態と結合して、第１形態の二つ目の実行可能な実施形態において、
前記第１の接続情報が正しいか否かを検証するステップは、
自機に記憶されている接続情報リストを取得するステップと、
前記接続情報リスト中に前記第１の接続情報と同一の第２の接続情報が含まれているか否かを検出するステップと、
前記接続情報リスト中に前記第１の接続情報と同一の第２の接続情報が含まれている場合、前記第１の接続情報が正しいと判断するステップと
を含む。
【０００８】
第１形態と結合して、第１形態の三つ目の実行可能な実施形態において、
前記第１の接続情報が正しいか否かを検証するステップは、
ネットワークデバイスに、少なくとも前記第１の接続情報を含む接続情報転送要求を送信することにより、前記ネットワークデバイスが前記接続情報転送要求を解読して前記第１の接続情報を取得して、前記第１の接続情報を前記ネットワークデバイスに接続されている第２の端末機器に転送し、そして、前記第２の端末機器が前記第２の端末機器中に前記第１の接続情報と同一の第３の接続情報が含まれているか否かを検出するようにするステップと、
前記ネットワークデバイスにより送信される正しいという検出結果を受信する場合、前記第１の接続情報が正しいと判断するステップと
を含み、
前記正しいという検出結果は、前記第２の端末機器により、前記第２の端末機器中に前記第１の接続情報と同一の第３の接続情報が含まれていると検出された際に、前記ネットワークデバイスに送信される検出結果である。
【０００９】
第１形態と結合して、第１形態の四つ目の実行可能な実施形態において、
無線ＬＡＮの第１の接続情報を取得するステップは、
自機に記憶されている接続情報リスト中から一組の接続情報を選択して前記第１の接続情報とするステップ、
又は、
ユーザの接続情報の入力を受けて前記第１の接続情報とするステップ
を含む。
【００１０】
本発明の実施例に係る第２形態によれば、
端末機器の無線ＬＡＮへの接続を制御する方法であって、
スマート端末機器から送信され、且つ少なくとも第１の接続情報を含む接続情報転送要求を受信するステップと、
前記接続情報転送要求を解読して前記第１の接続情報を取得するステップと、
第２の端末機器に前記第１の接続情報を送信することにより、前記第２の端末機器が前記第２の端末機器中に前記第１の接続情報と同一の第３の接続情報が含まれているか否かを検出するようにするステップと、
前記第２の端末機器からの正しいという検出結果をスマート端末機器に送信することにより、前記スマート端末機器が前記第１の接続情報を第１の端末機器に送信し、第１の端末機器が前記第１の接続情報を用いて無線ＬＡＮに接続するようにするステップと
を含み、
前記正しいという検出結果は、前記第２の端末機器により、前記第２の端末機器中に前記第１の接続情報と同一の第３の接続情報が含まれていると検出された際に発生される検出結果である
方法を提供する。
【００１１】
本発明の実施例に係る第３形態によれば、
端末機器の無線ＬＡＮへの接続を制御する方法であって、
スマート端末機器からネットワークデバイスに送信されてから、前記ネットワークデバイスにより送信されてくる第１の接続情報を受信するステップと、
自機に記憶されている接続情報中に前記第１の接続情報と同一の第３の接続情報が含まれているか否かを検出するステップと、
自機中に前記第１の接続情報と同一の第３の接続情報が記憶されている場合、正しいという検出結果を取得するステップと、
前記ネットワークデバイスに前記正しいという検出結果を送信することにより、前記ネットワークデバイスが前記正しいという検出結果をスマート端末機器に送信し、そして、前記スマート端末機器が前記第１の接続情報を第１の端末機器に送信して、前記第１の端末機器が前記第１の接続情報に基づいて無線ＬＡＮに接続するようにするステップと
を含む方法を提供する。
【００１２】
本発明の実施例に係る第４形態によれば、
端末機器の無線ＬＡＮへの接続を制御する装置であって、
無線ＬＡＮの第１の接続情報を取得するための取得モジュールと、
前記第１の接続情報が正しいか否かを検証するための検証モジュールと、
前記第１の接続情報が正しいと判断された場合、第１の端末機器に前記第１の接続情報を送信することにより、前記第１の端末機器が前記第１の接続情報を用いて前記無線ＬＡＮに接続するようにするための送信モジュールと
を備える装置を提供する。
【００１３】
第４形態と結合して、第４形態の一つ目の実行可能な実施形態において、
前記検証モジュールは、
前記第１の接続情報に対応する無線ＬＡＮに、少なくとも前記第１の接続情報を含む接続要求を送信するための第１の送信サブモジュールと、
接続成功の応答情報を受信したか否かを検出するための第１の検出サブモジュールと、
接続成功の応答情報を受信した場合、前記第１の接続情報が正しいと判断するための第１の判断サブモジュールと
を備える。
【００１４】
第４形態と結合して、第４形態の二つ目の実行可能な実施形態において、
前記検証モジュールは、
自機に記憶されている接続情報リストを取得するための第１の取得サブモジュールと、
前記接続情報リスト中に前記第１の接続情報と同一の第２の接続情報が含まれているか否かを検出するための第２の検出サブモジュールと、
前記接続情報リスト中に前記第１の接続情報と同一の第２の接続情報が含まれている場合、前記第１の接続情報が正しいと判断するための第２の判断サブモジュールと
を備える。
【００１５】
第４形態と結合して、第４形態の三つ目の実行可能な実施形態において、
前記検証モジュールは、
ネットワークデバイスに、少なくとも前記第１の接続情報を含む接続情報転送要求を送信することにより、前記ネットワークデバイスが前記接続情報転送要求を解読して前記第１の接続情報を取得して、前記第１の接続情報を前記ネットワークデバイスに接続されている第２の端末機器に転送し、そして、前記第２の端末機器が前記第２の端末機器中に前記第１の接続情報と同一の第３の接続情報が含まれているか否かを検出するようにするための第２の送信サブモジュールと、
正しいという検出結果を受信したか否かを検出するための第３の検出サブモジュールと、
前記ネットワークデバイスにより送信される正しいという検出結果を受信する場合、前記第１の接続情報が正しいと判断するための第３の判断サブモジュールと
を備え、
前記正しいという検出結果は、前記第２の端末機器により、前記第２の端末機器中に前記第１の接続情報と同一の第３の接続情報が含まれていると検出された際に、前記ネットワークデバイスに送信される検出結果である。
【００１６】
第４形態と結合して、第４形態の四つ目の実行可能な実施形態において、
前記取得モジュールは、
自機に記憶されている接続情報リスト中から一組の接続情報を選択して前記第１の接続情報とするための選択サブモジュール、
又は、
ユーザの接続情報の入力を受けて前記第１の接続情報とするための受信サブモジュール
を備える。
【００１７】
本発明の実施例に係る第５形態によれば、
端末機器の無線ＬＡＮへの接続を制御する装置であって、
スマート端末機器から送信され、且つ少なくとも第１の接続情報を含む接続情報転送要求を受信するための受信モジュールと、
前記接続情報転送要求を解読して前記第１の接続情報を取得するための解読モジュールと、
第２の端末機器に前記第１の接続情報を送信することにより、前記第２の端末機器が前記第２の端末機器中に前記第１の接続情報と同一の第３の接続情報が含まれているか否かを検出するようにするための第１の送信モジュールと、
前記第２の端末機器からの正しいという検出結果をスマート端末機器に送信することにより、前記スマート端末機器が前記第１の接続情報を第１の端末機器に送信し、第１の端末機器が前記第１の接続情報を用いて無線ＬＡＮに接続するようにするための第２の送信モジュールと
を備え、
前記正しいという検出結果は、前記第２の端末機器により、前記第２の端末機器中に前記第１の接続情報と同一の第３の接続情報が含まれていると検出された際に発生される検出結果である
装置を提供する。
【００１８】
本発明の実施例に係る第６形態によれば、
端末機器の無線ＬＡＮへの接続を制御する装置であって、
スマート端末機器からネットワークデバイスに送信されてから、前記ネットワークデバイスにより送信されてくる第１の接続情報を受信するための受信モジュールと、
自機に記憶されている接続情報中に前記第１の接続情報と同一の第３の接続情報が含まれているか否かを検出し、自機中に前記第１の接続情報と同一の第３の接続情報が記憶されている場合、正しいという検出結果を取得するための検出モジュールと、
前記ネットワークデバイスに前記正しいという検出結果を送信することにより、前記ネットワークデバイスが前記正しいという検出結果をスマート端末機器に送信し、そして、前記スマート端末機器が前記正しいという検出結果に基づいて前記第１の接続情報を第１の端末機器に送信して、前記第１の端末機器が前記第１の接続情報に基づいて無線ＬＡＮに接続するようにするための送信モジュールと
を備える装置を提供する。
【００１９】
本発明の実施例に係る第７形態によれば、
プロセッサと、
プロセッサにより実行可能なインストラクションを記憶するためのメモリと
を備え、
前記プロセッサは、
無線ＬＡＮの第１の接続情報を取得し、
前記第１の接続情報が正しいか否かを検証し、
前記第１の接続情報が正しいと判断された場合、第１の端末機器に前記第１の接続情報を送信することにより、前記第１の端末機器が前記第１の接続情報を用いて前記無線ＬＡＮに接続する
ように構成される端末機器を提供する。
【００２０】
本発明の実施例に係る第８形態によれば、
プロセッサと、
プロセッサにより実行可能なインストラクションを記憶するためのメモリと
を備え、
前記プロセッサは、
スマート端末機器から送信され、且つ少なくとも第１の接続情報を含む接続情報転送要求を受信し、
前記接続情報転送要求を解読して前記第１の接続情報を取得し、
第２の端末機器に前記第１の接続情報を送信することにより、前記第２の端末機器が前記第２の端末機器中に前記第１の接続情報と同一の第３の接続情報が含まれているか否かを検出するようにし、
前記第２の端末機器からの正しいという検出結果をスマート端末機器に送信することにより、前記スマート端末機器が前記第１の接続情報を第１の端末機器に送信し、第１の端末機器が前記第１の接続情報を用いて無線ＬＡＮに接続する、
ように構成され、
前記正しいという検出結果は、前記第２の端末機器により、前記第２の端末機器中に前記第１の接続情報と同一の第３の接続情報が含まれていると検出された際に発生される検出結果である
ネットワークデバイスを提供する。
【００２１】
本発明の実施例に係る第９形態によれば、
プロセッサと、
プロセッサにより実行可能なインストラクションを記憶するためのメモリと
を備え、
前記プロセッサは、
スマート端末機器からネットワークデバイスに送信されてから、前記ネットワークデバイスにより送信されてくる第１の接続情報を受信し、
自機中に前記第１の接続情報と同一の第３の接続情報が記憶されているか否かを検出し、
自機中に前記第１の接続情報と同一の第３の接続情報が記憶されている場合、正しいという検出結果を取得し、
前記ネットワークデバイスに前記正しいという検出結果を送信することにより、前記ネットワークデバイスが前記正しいという検出結果をスマート端末機器に送信し、そして、前記スマート端末機器が前記第１の接続情報を第１の端末機器に送信して、前記第１の端末機器が前記第１の接続情報に基づいて無線ＬＡＮに接続する
ように構成される端末機器を提供する。
本発明の実施例に係る第１０形態によれば、
プロセッサに実行されることにより、第１形態乃至第３形態の何れかの一つ、又は第１形態の各種の実施可能な実施形態による前記方法を実現するプログラムを提供する。
本発明の実施例に係る第１１形態によれば、
第１０形態による前記プログラムが記録されている記録媒体を提供する。
【００２２】
本発明の実施例により提供された技術案によれば、以下のような有益な効果が得られる。即ち、端末機器の無線ＬＡＮへの接続を制御する方法によれば、端末機器の無線ＬＡＮへの接続が必要である場合、スマート端末機器は、まず、無線ＬＡＮの第１の接続情報を取得して、第１の接続情報が正しいか否かを検証し、第１の接続情報が正しいと判断された場合、第１の接続情報を端末機器に送信することにより、端末機器が前記第１の接続情報を用いて無線ＬＡＮに接続するようにする。以上の記載内容から分かるように、当該方法によれば、端末機器に送信される第１の接続情報の正確性を確保することができる。即ち、端末機器は、前記第１の接続情報さえ用いれば、無線ＬＡＮへの接続に成功することができる。従って、当該方法によれば、端末機器が無線ＬＡＮに接続する成功率を高めることができる。
【００２３】
なお、上述の一般的な記載及び後述の詳細な記載は、単なる例示的な解釈であり、本発明に対する限定として見なしてはいけない。
【図面の簡単な説明】
【００２４】
以下の図面は、明細書に組み込まれて本願明細書の一部分となり、本願発明に係る実施例を示し、且つ明細書とともに、本発明の原理の説明に用いられる。
【図１】図１は、一つの例示的な実施例に係る端末機器の無線ＬＡＮへの接続を制御する方法のフローチャートである。
【図２】図２は、一つの例示的な実施例に係るステップＳ１２０の一つの方法のフローチャートである。
【図３】図３は、一つの例示的な実施例に係るステップＳ１２０のもう一つの方法のフローチャートである。
【図４】図４は、一つの例示的な実施例に係るステップＳ１２０の別のもう一つの方法のフローチャートである。
【図５】図５は、一つの例示的な実施例に係る端末機器の無線ＬＡＮへの接続を制御する方法のフローチャートである。
【図６】図６は、一つの例示的な実施例に係る端末機器の無線ＬＡＮへの接続を制御する別の方法のフローチャートである。
【図７】図７は、一つの例示的な実施例に係る端末機器の無線ＬＡＮへの接続を制御する装置のブロック図である。
【図８】図８は、一つの例示的な実施例に係る一つの検証モジュールのブロック図である。
【図９】図９は、一つの例示的な実施例に係るもう一つの検証モジュールのブロック図である。
【図１０】図１０は、一つの例示的な実施例に係る別のもう一つの検証モジュールのブロック図である。
【図１１】図１１は、一つの例示的な実施例に係る端末機器の無線ＬＡＮへの接続を制御する一つの装置のブロック図である。
【図１２】図１２は、一つの例示的な実施例に係る端末機器の無線ＬＡＮへの接続を制御するもう一つの装置のブロック図である。
【図１３】図１３は、一つの例示的な実施例に係る端末機器の無線ＬＡＮへの接続を制御する装置のブロック図である。
【図１４】図１４は、一つの例示的な実施例に係る端末機器の無線ＬＡＮへの接続を制御する装置のブロック図である。
【００２５】
以上の図面により、本発明に係る明確な実施例が示されているが、以下においてより具体的に説明するようにする。これらの図面は、本発明の趣旨の範囲を何らかの方法により限定するために用いられるものではなく、特定の実施例を参照することにより、当業者に本発明のコンセプトを説明するためのものである。
【発明を実施するための形態】
【００２６】
以下、図面に示されている例示的な実施例をより詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００２７】
無線ＬＡＮ技術の発展に伴い、多くの端末機器が無線ＬＡＮへ接続できるようになったので、スマート端末により前記端末機器を遠隔制御することを実現するようになった。例えば、ユーザは、ＷＩＦＩスマートパワーソケットがＷＩＦＩネットワークに接続した後、スマートフォンを介してＷＩＦＩスマートパワーソケットのオン／オフを遠隔制御でき、スマートフォンを介してＷＩＦＩスマートパワーソケットに接続されている家電の稼動状態を制御することができる。
【００２８】
ＷＩＦＩスマートパワーソケットは、ＷＩＦＩネットワークに接続する前にモニタリング状態設定されており、その他の機器から送信されるメッセージをモニタリングすることができる。従って、スマート端末機器を介してＷＩＦＩスマートパワーソケットに所定の無線ＬＡＮの接続情報（例えば、無線ＬＡＮのＳＳＩＤ及びパスワード）を送信し、ＷＩＦＩスマートパワーソケットが受信された接続情報に基づいて前記無線ＬＡＮに接続するようにすることができる。
【００２９】
図１は、一つの例示的な実施例に係る端末機器の無線ＬＡＮへの接続を制御する方法のフローチャートである。当該方法は、スマート端末機器に用いられ、図１に示すように、以下のステップを含む。
【００３０】
ステップＳ１１０において、スマート端末機器は、無線ＬＡＮの第１の接続情報を取得する。
【００３１】
スマート端末機器は、スマートフォン、タブレットＰＣ等であってもよい。無線ＬＡＮの接続情報は、通常、少なくとも当該無線ＬＡＮに対応するＳＳＩＤ及びパスワードを含む。
【００３２】
本発明の一つの例示的な実施例において、スマート端末機器は、無線ＬＡＮに成功的に接続できる接続情報を記憶する。従って、スマート端末機器は、自機に記憶された無線ＬＡＮの接続情報リストから一組のＳＳＩＤ及びパスワードを選択して第１の接続情報とすることができる。
【００３３】
本発明のもう一つの例示的な実施例において、ユーザがスマート端末機器のユーザインターフェースを介して無線ＬＡＮのＳＳＩＤ及びパスワードを入力し、スマート端末機器は、ユーザの入力したＳＳＩＤ及びパスワードを受信して、当該ＳＳＩＤ及びパスワードを第１の接続情報とすることができる。
【００３４】
ステップＳ１２０において、スマート端末機器は、前記第１の接続情報が正しいか否かを検証する。前記第１の接続情報が正しいと判断された場合、ステップＳ１３０を実行する。前記第１の接続情報が正しくないと判断された場合、ステップＳ１４０を実行する。
【００３５】
スマート端末機器が前記第１の接続情報中のＳＳＩＤが正しいか否かを検証し、また、当該無線ＬＡＮにパスワードが設定されている場合、第１の接続情報中のパスワードが正しいか否かをさらに検証する必要がある。ＳＳＩＤ及びパスワードが両方とも正しい場合、第１の接続情報が正しいと判断することができる。
【００３６】
ステップＳ１３０において、スマート端末機器は、前記第１の端末機器に前記第１の接続情報を送信して、第１の端末機器が前記第１の接続情報を用いて前記無線ＬＡＮに接続するようにする。
【００３７】
スマート端末機器は、第１の接続情報が正しいと判断された場合、第１の接続情報を第１の端末機器に送信する。そして、第１の端末機器は、前記第１の接続情報を受信して、前記第１の接続情報に対応するネットワークデバイスに接続要求を送信する。前記ネットワークデバイスは、前記接続要求を受信して検証に成功した場合、第１の端末機器と通信接続を構築する。
【００３８】
ステップＳ１４０において、スマート端末機器は、前記第１の接続情報が正しくない旨をプロンプトする。
【００３９】
スマート端末機器は、プロンプト情報によりユーザに前記第１の接続情報が正しくない旨をプロンプトすることができる。ここで、前記プロンプト情報は、テキスト情報又は音声情報の少なくとも一つであってもよい。ユーザは、プロンプト情報に基づいて一組の接続情報を新たに入力してもよく、又は、一組の接続情報を新たに選択して第１の接続情報としてもよい。
【００４０】
本実施例に係る端末機器の無線ＬＡＮへの接続を制御する方法において、スマート端末機器は、第１の端末機器の無線ＬＡＮへの接続が必要である場合、まず、無線ＬＡＮの第１の接続情報を取得して、第１の接続情報が正しいか否かを検証し、第１の接続情報が正しいと判断された場合、第１の接続情報を第１の端末機器に送信することにより、第１の端末機器が前記第１の接続情報を用いて無線ＬＡＮに接続するようにする。以上の記載内容から分かるように、当該方法によれば、第１の端末機器に送信される第１の接続情報の正確性を確保することができる。即ち、第１の端末機器は、前記第１の接続情報さえ用いれば、無線ＬＡＮへの接続に成功することができる。従って、当該方法によれば、第１の端末機器が無線ＬＡＮに接続する成功率を高めることができる。
【００４１】
図２は、一つの例示的な実施例に係るステップＳ１２０の一つの方法のフローチャートである。図１に示すステップＳ１２０は、図２に示すように、以下のステップを含んでもよい。
【００４２】
ステップＳ１２１１において、スマート端末機器は、前記第１の接続情報に対応する無線ＬＡＮに、少なくとも前記第１の接続情報を含む接続要求を送信する。
【００４３】
ステップＳ１２１２において、スマート端末機器は、接続成功の応答情報を受信したか否かを検出する。接続成功の応答情報を受信した場合、ステップＳ１２１３を実行する。受信しなかった場合、ステップＳ１２１４を実行する。
【００４４】
ステップＳ１２１３において、スマート端末機器は、前記第１の接続情報が正しいと判断する。
【００４５】
ステップＳ１２１４において、スマート端末機器は、前記第１の接続情報が正しくないと判断する。
【００４６】
本例示的な実施例に係る前記第１の接続情報を検証する方法において、スマート端末機器により前記第１の接続情報を用いて該当する無線ＬＡＮへの接続を試し、前記無線ＬＡＮへの接続に成功した場合、前記第１の接続情報が正しいと判断し、接続に失敗した場合、前記第１の接続情報が正しくないと判断する。このような検証方法によれば、第１の接続情報の正確性を正確に判断することができる。
【００４７】
図３は、本発明の一つの例示的な実施例に係るステップＳ１２０のもう一つの方法のフローチャートである。当該方法は、ユーザの入力により第１の接続情報を取得する場合に適用される。図３に示すように、ステップＳ１２０は、以下のステップを含んでもよい。
【００４８】
ステップＳ１２２１において、スマート端末機器は、自機に記憶されている接続情報リストを取得する。
【００４９】
スマート端末機器は、ある無線ＬＡＮへの接続に成功した場合、当該無線ＬＡＮの接続情報を自機の接続情報リストに記憶する。これにより、スマート端末機器が接続に成功したことのある無線ＬＡＮの接続情報であれば、すべて接続情報リストに記憶されることになる。
【００５０】
ステップＳ１２２２において、スマート端末機器は、前記接続情報リスト中に前記第１の接続情報と同一の第２の接続情報が含まれているか否かを検出する。前記接続情報リスト中に、前記第１の接続情報と同一の第２の接続情報が含まれている場合、ステップＳ１２２３を実行し、第１の接続情報と同一の第２の接続情報が含まれてない場合は、ステップＳ１２２４を実行する。
【００５１】
無線ＬＡＮの接続情報は、通常、無線ＬＡＮのＳＳＩＤ及びパスワードを含む。従って、接続情報リスト中に第１の接続情報と同一の第２の接続情報が含まれているか否かを検出する際には、まず、接続情報リスト中に前記第１の接続情報中のＳＳＩＤが含まれているか否かを検出してから、当該ＳＳＩＤが含まれている場合、さらに、接続情報リスト中の前記ＳＳＩＤに対応するパスワードとユーザの入力したパスワードとが一致するか否かを検出し、一致する場合、接続情報リスト中に第１の接続情報と同一の第２の接続情報が含まれていると判断してもよい。
【００５２】
ステップＳ１２２３において、スマート端末機器は、前記第１の接続情報が正しいと判断する。
【００５３】
ステップＳ１２２４において、スマート端末機器は、第１の接続情報が正しくないと判断する。
【００５４】
本発明の一つの例示的な実施例において、スマート端末機器には現在環境における全ての無線ＬＡＮの接続情報が記憶される。例えば、スマート端末機器には、通常、ユーザの住宅の全ての無線ＬＡＮの接続情報を記憶される。このような場合、接続情報リスト中に第１の接続情報と同一の第２の接続情報が含まれてないと、第１の接続情報が正しくないと判断する。ＳＳＩＤ及びパスワードのうちの少なくとも一つが異なる場合、第１の接続情報が正しくないと判断する。
【００５５】
本発明のもう一つの例示的な実施例において、現在環境における無線ＬＡＮの接続情報の全てがスマート端末機器に記憶されてない場合、接続情報リスト中に第１の接続情報が含まれてないと、直接第１の接続情報が正しくないと判断することができないので、引き続き図２に示す方法を用いて第１の接続情報が正しいか否かを判断してもよい。
【００５６】
本実施例に係る接続情報検証方法において、スマート端末機器の自機に記憶されている接続情報リストに基づいて直接第１の接続情報が正しいか否かを検証するので、この方法によれば、スマート端末機器が第１の接続情報に対応する無線ＬＡＮに接続する必要さえなく、接続情報を検証するための時間をその分短縮できるため、検証のスピードが高くなり、第１の端末機器の待機時間を短縮することができる。
【００５７】
図４は、一つの例示的な実施例に係るステップＳ１２０の別のもう一つの方法のフローチャートである。
【００５８】
当該方法では、その他の端末機器を介して前記第１の接続情報が正しいか否かを検証する。例えば、第１の端末機器はスマートパワーソケットで、第２の端末機器はスマートカメラで、ネットワークデバイスはルータで、スマート端末機器はスマートフォンであるとする。この場合、スマートフォンは、取得した第１の接続情報をルータを介してスマートカメラに送信し、当該スマートカメラは、第１の接続情報が正しいか否かを判断し、ルータを介してスマート端末機器にその検出結果をフィードバックする。
【００５９】
図４に示すように、前記方法は、以下のステップを含んでもよい。
【００６０】
ステップＳ１２３１において、スマート端末機器は、ネットワークデバイスに接続情報転送要求を送信する。前記接続情報転送要求は、少なくとも前記第１の接続情報を含む。
【００６１】
前記ネットワークデバイスは、前記接続情報転送要求を解読して前記第１の接続情報を取得し、第１の接続情報を前記ネットワークデバイスに接続されている第２の端末機器に転送する。ネットワークデバイスは、解読により第１の接続情報を取得した後、前記第１の接続情報を含むメッセージを当該ネットワークデバイスに接続されている第２の端末機器にブロードキャストしてもよい。これにより、第２の端末機器が、前記第１の接続情報を受信し、前記第２の端末機器中に前記第１の接続情報と同一の第３の接続情報が含まれているか否かを検出して検出結果を取得するようにすることができる。
【００６２】
接続情報は、通常、無線ＬＡＮのＳＳＩＤ及びパスワードを含む。従って、第１の接続情報が正しいか否かを検出する際に、ＳＳＩＤ及びパスワードが正しいか否かを検出する必要がある。第２の端末機器は、接続したことのある無線ＬＡＮの接続情報を記憶することができ、第２の端末機器は自機に記憶された第３の接続情報に基づいて、まず、前記第３の接続情報に第１の接続情報中のＳＳＩＤと同一のＳＳＩＤが含まれているか否かを判断する。含まれている場合、さらに、第３の接続情報中の当該ＳＳＩＤに対応するパスワードが第１の接続情報のパスワードと同一であるか否かを判断する。同一である場合、正しいという検出結果を取得する。ＳＳＩＤ及びパスワードのうちの少なくとも一つが異なる場合、正しくないという検出結果を取得する。第２の端末機器は、検出結果をネットワークデバイスに送信し、ネットワークデバイスを介してスマート端末機器に転送する。
【００６３】
ステップＳ１２３２において、スマート端末機器は、ネットワークデバイスにより送信される正しいという検出結果を受信した場合、前記第１の接続情報が正しいと判断する。
【００６４】
ステップＳ１２３３において、スマート端末機器は、ネットワークデバイスにより送信される正しくないという検出結果を受信した場合、前記第１の接続情報が正しくないと判断する。
【００６５】
本発明の一つの例示的な実施例において、第２の端末機器には現在環境における全ての無線ＬＡＮの接続情報が記憶される。例えば、第２の端末機器には、通常、ユーザの住宅の全ての無線ＬＡＮの接続情報が記憶される。このような場合、第２の端末機器に第１の接続情報と同一の第２の接続情報が含まれてないと、第１の接続情報が正しくないと判断する。例えば、ＳＳＩＤ及びパスワードのうちの少なくとも一つが異なると、第１の接続情報が正しくないと判断する。
【００６６】
本発明のもう一つの例示的な実施例において、現在環境における無線ＬＡＮの接続情報の全てが第２の端末機器に記憶されてない場合、第２の端末機器に第１の接続情報が含まれてないと、直接第１の接続情報が正しくないと判断することができないので、引き続き図２に示す方法を用いて第１の接続情報が正しいか否かを判断してもよい。
【００６７】
ここで説明しておくべきことは、本発明の実施例では、ステップＳ１２３２及びステップＳ１２３３の実行順番について限定しない。
【００６８】
本実施例に係る第１の接続情報を検証する方法において、第１の接続情報をネットワークデバイスを介して当該ネットワークデバイスに接続されているその他の端末機器に送信して、その他の端末機器により第１の接続情報が正しいか否かを判断するので、スマート端末機器により判断する必要がなく、第１の接続情報が正しいか否かの判断はスマート端末機器のＣＰＵリソースをほとんど使用しないため、スマート端末機器のＣＰＵリソースの使用率を下げることができる。
【００６９】
本発明では、図４に示す方法実施例に対応して、さらに、ネットワークデバイスに適用される方法実施例及び第２の端末機器に適用される方法実施例を提供する。
【００７０】
図５は、一つの例示的な実施例に係る端末機器の無線ＬＡＮへの接続を制御する方法のフローチャートである。当該方法は、ネットワークデバイス（例えばルータ）に適用される。図５に示すように、当該方法は、以下のステップを含んでもよい。
【００７１】
ステップＳ２１０において、ネットワークデバイスは、スマート端末機器から送信され、且つ少なくとも前記第１の接続情報を含む接続情報転送要求を受信する。
【００７２】
ステップＳ２２０において、ネットワークデバイスは、前記接続情報転送要求を解読して前記第１の接続情報を取得する。
【００７３】
ステップＳ２３０において、ネットワークデバイスは、当該ネットワークデバイスに接続されている第２の端末機器に前記第１の接続情報を送信することにより、前記第２の端末機器が前記第２の端末機器中に前記第１の接続情報と同一の第３の接続情報が含まれているか否かを検出するようにする。
【００７４】
ネットワークデバイスは、解読により第１の接続情報を取得した後、前記第１の接続情報を含むメッセージをブロードキャストしてもよい。
【００７５】
ステップＳ２４０において、ネットワークデバイスは、前記第２の端末機器からの正しいという検出結果をスマート端末機器に送信することにより、スマート端末機器が前記第１の接続情報を第１の端末機器に送信し、第１の端末機器が前記第１の接続情報を用いて無線ＬＡＮに接続するようにする。
【００７６】
前記正しいという検出結果は、前記第２の端末機器により、前記第２の端末機器中に前記第１の接続情報と同一の第３の接続情報が含まれていると検出された際に発生される検出結果である。
【００７７】
第２の端末機器は、前記第１の接続情報を受信した後、自機中に第１の接続情報と同一の第３の接続情報が記憶されているか否かを検出する。第１の接続情報と同一の第３の接続情報が記憶されている場合、正しいという検出結果を取得する。第１の接続情報と同一の第３の接続情報が記憶されてない場合、正しくないという検出結果を取得する。第２の端末機器により取得された検出結果は、ネットワークデバイスにリターンされて、ネットワークデバイスを介してスマート端末機器に転送される。
【００７８】
スマート端末機器は、受信された検出結果に基づいて第１の接続情報が正しいか否かを判断する。正しいという検出結果を受信した場合、第１の接続情報が正しいと判断し、第１の接続情報を第１の端末機器に送信する。第１の端末機器は、前記第１の接続情報に基づいて無線ＬＡＮに接続する。正しくないという検出結果を受信した場合、第１の接続情報が正しくないと判断し、ユーザに、第１の接続情報が正しくない旨をプロンプトしてもよい。
【００７９】
本実施例に係る端末機器の無線ＬＡＮへの接続を制御する方法において、第１の接続情報をネットワークデバイスを介してネットワークデバイスに接続されているその他の端末機器に送信して、その他の端末機器により第１の接続情報が正しいか否かを判断するので、スマート端末機器により判断する必要がなく、第１の接続情報が正しいか否かの判断はスマート端末機器のＣＰＵリソースをほとんど使用しないため、スマート端末機器のＣＰＵリソースの使用率を下げることができる。
【００８０】
図６は、一つの例示的な実施例に係る端末機器の無線ＬＡＮへの接続を制御する別の方法のフローチャートである。当該方法は、例えばスマートカメラ等のような第２の端末機器に適用される。前記方法は、図６に示すように、以下のステップを含んでもよい。
【００８１】
ステップＳ３１０において、第２の端末機器は、スマート端末機器からネットワークデバイスに送信されてから、前記ネットワークデバイスにより送信されてくる第１の接続情報を受信する。
【００８２】
ステップＳ３２０において、第２の端末機器は、自機中に前記第１の接続情報と同一の第３の接続情報が記憶されているか否かを検出する。自機中に前記第１の接続情報と同一の第３の接続情報が記憶されている場合、ステップＳ３３０を実行し、自機に第１の接続情報と同一の第３の接続情報が記憶されていない場合、ステップＳ３４０を実行する。
【００８３】
第２の端末機器は、接続に成功したことのある無線ＬＡＮの接続情報を記憶することができる。従って、自機に記憶されている接続情報に基づいて、受信された第１の接続情報が正しいか否かを判断することができる。
【００８４】
ステップＳ３３０において、第２の端末機器は、正しいという検出結果を取得し、前記ネットワークデバイスに前記正しいという検出結果をリターンする。前記ネットワークデバイスは、前記正しいという検出結果をスマート端末機器に送信し、そして、前記スマート端末機器は、前記第１の接続情報を第１の端末機器に送信し、最終的に、第１の端末機器は前記第１の接続情報に基づいて無線ＬＡＮに接続する。
【００８５】
第２の端末機器は、前記第１の接続情報を受信した後、自機中に第１の接続情報と同一の第３の接続情報が記憶されているか否かを検出する。第１の接続情報と同一の第３の接続情報が記憶されている場合、正しいという検出結果を取得する。第１の接続情報と同一の第３の接続情報が記憶されてない場合、正しくないという検出結果を取得する。第２の端末機器により取得された検出結果は、ネットワークデバイスにリターンされて、ネットワークデバイスを介してスマート端末機器に転送される。
【００８６】
ステップＳ３４０において、第２の端末機器は、正しくないという検出結果を取得し、ネットワークデバイスに前記正しくないという検出結果をリターンする。前記ネットワークデバイスは、前記正しくないという検出結果をスマート端末機器に送信し、そして、前記スマート端末機器は、前記正しくないという検出結果に基づいて前記第１の接続情報が正しくないと判断し、ユーザに、前記第１の接続情報が正しくない旨をプロンプトする。
【００８７】
本実施例に係る端末機器の無線ＬＡＮへの接続を制御する方法において、第１の接続情報をネットワークデバイスを介してネットワークデバイスに接続されているその他の端末機器に送信して、その他の端末機器により第１の接続情報が正しいか否かを判断するので、スマート端末機器により判断する必要がなく、第１の接続情報が正しいか否かの判断はスマート端末機器のＣＰＵリソースをほとんど使用しないため、スマート端末機器のＣＰＵリソースの使用率を下げることができる。
【００８８】
図７は、一つの例示的な実施例に係る端末機器の無線ＬＡＮへの接続を制御する装置のブロック図である。当該装置は、スマート端末機器（例えばスマートフォン、タブレットＰＣ等）に適用される。当該装置は、図７に示すように、取得モジュール１１０、検証モジュール１２０及び送信モジュール１３０を備えてもよい。
【００８９】
取得モジュール１１０は、無線ＬＡＮの第１の接続情報を取得するように構成される。
【００９０】
無線ＬＡＮの接続情報は、通常、少なくとも当該無線ＬＡＮに対応するＳＳＩＤ及びパスワードを含む。
【００９１】
本発明の一つの例示的な実施例において、前記取得モジュールは選択サブモジュールを備える。当該選択サブモジュールは、スマート端末機器の自機に記憶されている接続情報リスト中から一組の接続情報を選択して前記第１の接続情報とするように構成される。
【００９２】
本発明のもう一つの例示的な実施例において、前記取得モジュールは受信サブモジュールを備える。当該受信サブモジュールは、ユーザの接続情報の入力を受けて前記第１の接続情報とするように構成される。ユーザは、スマート端末機器のユーザインターフェースを介して無線ＬＡＮのＳＳＩＤ及びパスワードを入力し、前記取得モジュールは、ユーザの入力したＳＳＩＤ及びパスワードを受信して、当該ＳＳＩＤ及びパスワードを第１の接続情報とすることができる。
【００９３】
検証モジュール１２０は、前記第１の接続情報が正しいか否かを検証するように構成される。
【００９４】
送信モジュール１３０は、前記第１の接続情報が正しいと判断された場合、第１の端末機器に前記接続情報を送信することにより、前記第１の端末機器が前記第１の接続情報を用いて前記無線ＬＡＮに接続するように構成される。
【００９５】
本実施例に係る端末機器の無線ＬＡＮへの接続を制御する装置において、スマート端末機器は、第１の端末機器の無線ＬＡＮへの接続が必要である場合、まず、無線ＬＡＮの第１の接続情報を取得して、第１の接続情報が正しいか否かを検証し、第１の接続情報が正しいと判断された場合、第１の接続情報を第１の端末機器に送信することにより、第１の端末機器が前記第１の接続情報を用いて無線ＬＡＮに接続するようにする。以上の記載内容から分かるように、当該装置によれば、第１の端末機器に送信される第１の接続情報の正確性を確保することができる。即ち、第１の端末機器は、前記第１の接続情報さえ用いれば、無線ＬＡＮへの接続に成功することができる。従って、当該装置によれば、第１の端末機器が無線ＬＡＮに接続する成功率を高めることができる。
【００９６】
図８は、一つの例示的な実施例に係る一つの検証モジュールのブロック図である。前記検証モジュールは、図８に示すように、第１の送信サブモジュール１２１１、第１の検出サブモジュール１２１２及び第１の判断サブモジュール１２１３を備える。
【００９７】
第１の送信サブモジュール１２１１は、前記第１の接続情報に対応する無線ＬＡＮに、少なくとも前記第１の接続情報を含む接続要求を送信するように構成される。
【００９８】
第１の検出サブモジュール１２１２は、接続成功の応答情報を受信したか否かを検出するように構成される。
【００９９】
第１の判断サブモジュール１２１３は、接続成功の応答情報を受信した場合、前記第１の接続情報が正しいと判断するように構成される。
【０１００】
本例示的な実施例に係る検証モジュールにおいて、スマート端末機器により前記第１の接続情報を用いて該当する無線ＬＡＮへの接続を試し、前記無線ＬＡＮへの接続に成功した場合、前記第１の接続情報が正しいと判断し、接続に失敗した場合、前記第１の接続情報が正しくないと判断する。このような検証方法によれば、第１の接続情報の正確性を正確に判断することができる。
【０１０１】
図９は、一つの例示的な実施例に係るもう一つの検証モジュールのブロック図である。前記検証モジュールは、図９に示すように、第１の取得サブモジュール１２２１、第２の検出サブモジュール１２２２及び第２の判断サブモジュール１２２３を備える。
【０１０２】
第１の取得サブモジュール１２２１は、自機に記憶されている接続情報リストを取得するように構成される。
【０１０３】
第２の検出サブモジュール１２２２は、前記接続情報リスト中に前記第１の接続情報と同一の第２の接続情報が含まれているか否かを検出するように構成される。
【０１０４】
第２の判断サブモジュール１２２３は、前記接続情報リスト中に前記第１の接続情報と同一の第２の接続情報が含まれている場合、前記第１の接続情報が正しいと判断するように構成される。
【０１０５】
本実施例に係る接続情報検証方法において、スマート端末機器の自機に記憶されている接続情報リストに基づいて直接第１の接続情報が正しいか否かを検証するので、この方法によれば、スマート端末機器が第１の接続情報に対応する無線ＬＡＮに接続する必要さえなく、接続情報を検証するための時間をその分短縮できるため、検証のスピードが高くなり、第１の端末機器の待機時間を短縮することができる。
【０１０６】
図１０は、一つの例示的な実施例に係る別のもう一つの検証モジュールのブロック図である。前記検証モジュールは、図１０に示すように、第２の送信サブモジュール１２３１、第３の検出サブモジュール１２３２及び第３の判断サブモジュール１２３３を備える。
【０１０７】
第２の送信サブモジュール１２３１は、ネットワークデバイスに、少なくとも前記第１の接続情報を含む接続情報転送要求を送信することにより、前記ネットワークデバイスが前記接続情報転送要求を解読して前記第１の接続情報を取得して、前記第１の接続情報を前記ネットワークデバイスに接続されている第２の端末機器に転送し、そして、前記第２の端末機器が前記第２の端末機器中に前記第１の接続情報と同一の第３の接続情報が含まれているか否かを検出するように構成される。
【０１０８】
第３の検出サブモジュール１２３２は、正しいという検出結果を受信したか否かを検出するように構成される。
【０１０９】
第３の判断サブモジュール１２３３は、前記ネットワークデバイスにより送信される正しいという検出結果を受信した場合、前記第１の接続情報が正しいと判断するように構成される。ここで、前記正しいという検出結果は、前記第２の端末機器により、前記第２の端末機器中に前記第１の接続情報と同一の第３の接続情報が含まれていると検出された際に、前記ネットワークデバイスに送信される検出結果である。
【０１１０】
本実施例に係る検証モジュールは、第１の接続情報をネットワークデバイスを介してネットワークデバイスに接続されているその他の端末機器に送信して、その他の端末機器により第１の接続情報が正しいか否かを判断するので、スマート端末機器により判断する必要がなく、第１の接続情報が正しいか否かの判断はスマート端末機器のＣＰＵリソースをほとんど使用しないため、スマート端末機器のＣＰＵリソースの使用率を下げることができる。
【０１１１】
図１１は、一つの例示的な実施例に係る端末機器の無線ＬＡＮへの接続を制御する装置のブロック図である。当該装置は、ネットワークデバイスに適用される。当該装置は、図１１に示すように、受信モジュール２１０、解読モジュール２２０、第１の送信モジュール２３０及び第２の送信モジュール２４０を備えてもよい。
【０１１２】
受信モジュール２１０は、スマート端末機器から送信され、且つ少なくとも前記第１の接続情報を含む接続情報転送要求を受信するように構成される。
【０１１３】
解読モジュール２２０は、前記接続情報転送要求を解読して前記第１の接続情報を取得するように構成される。
【０１１４】
第１の送信モジュール２３０は、第２の端末機器に前記第１の接続情報を送信することにより、前記第２の端末機器が前記第２の端末機器中に前記第１の接続情報と同一の第３の接続情報が含まれているか否かを検出するように構成される。
【０１１５】
第２の送信モジュール２４０は、前記第２の端末機器からの正しいという検出結果をスマート端末機器に送信することにより、前記スマート端末機器が前記第１の接続情報を第１の端末機器に送信し、第１の端末機器が前記第１の接続情報を用いて無線ＬＡＮに接続するように構成される。前記正しいという検出結果は、前記第２の端末機器により、前記第２の端末機器中に前記第１の接続情報と同一の第３の接続情報が含まれていると検出された際に発生される検出結果である。
【０１１６】
本実施例に係る端末機器の無線ＬＡＮへの接続を制御する装置において、第１の接続情報をネットワークデバイスを介してネットワークデバイスに接続されているその他の端末機器に送信して、その他の端末機器により第１の接続情報が正しいか否かを判断するので、スマート端末機器により判断する必要がなく、第１の接続情報が正しいか否かの判断はスマート端末機器のＣＰＵリソースをほとんど使用しないため、スマート端末機器のＣＰＵリソースの使用率を下げることができる。
【０１１７】
図１２は、一つの例示的な実施例に係る端末機器の無線ＬＡＮへの接続を制御する別の装置のブロック図である。当該装置は、第２の端末機器に適用される。前記装置は、図１２に示すように、受信モジュール３１０、検出モジュール３２０及び送信モジュール３３０を備えてもよい。
【０１１８】
受信モジュール３１０は、スマート端末機器からネットワークデバイスに送信されてから、前記ネットワークデバイスにより送信されてくる第１の接続情報を受信するように構成される。
【０１１９】
検出モジュール３２０は、自機に記憶されている接続情報中に前記第１の接続情報と同一の第３の接続情報が含まれているか否かを検出し、自機中に前記第１の接続情報と同一の第３の接続情報が記憶されている場合、正しいという検出結果を取得するように構成される。
【０１２０】
送信モジュール３３０は、前記ネットワークデバイスに前記正しいという検出結果を送信することにより、前記ネットワークデバイスが前記正しいという検出結果をスマート端末機器に送信し、そして、前記スマート端末機器が前記第１の接続情報を第１の端末機器に送信して、前記第１の端末機器が前記第１の接続情報に基づいて無線ＬＡＮに接続するように構成される。
【０１２１】
本実施例に係る端末機器の無線ＬＡＮへの接続を制御する装置において、第１の接続情報をネットワークデバイスを介してネットワークデバイスに接続されているその他の端末機器に送信して、その他の端末機器により第１の接続情報が正しいか否かを判断するので、スマート端末機器により判断する必要がなく、第１の接続情報が正しいか否かの判断はスマート端末機器のＣＰＵリソースをほとんど使用しないため、スマート端末機器のＣＰＵリソースの使用率を下げることができる。
【０１２２】
上述の実施例に係る装置において、それぞれのモジュールが操作を行う具体的な形態については、該当する方法実施例において既に詳細に説明を行っているので、ここではその詳細な説明を省略することにする。
【０１２３】
図１３は、一つの例示的な実施例に係る端末機器の無線ＬＡＮへの接続を制御する装置８００のブロック図である。例えば、装置８００は、携帯電話、コンピュータ、デジタル放送端末、メッセージ送受信機、ゲーム機、タブレットデバイス、医療機器、フィットネス設備、ＰＤＡ（Ｐｅｒｓｏｎａｌ  Ｄｉｇｉｔａｌ  Ａｓｓｉｓｔａｎｔ）等であってもよい。
【０１２４】
図１３に示すように、装置８００は、処理アセンブリ８０２、メモリ８０４、電源アセンブリ８０６、マルチメディアアセンブリ８０８、オーディオアセンブリ８１０、入力／出力（Ｉ／Ｏ）インターフェース８１２、センサアセンブリ８１４及び通信アセンブリ８１６からなる群から選ばれる少なくとも１つを備えてもよい。
【０１２５】
処理アセンブリ８０２は、一般的には、装置８００の全体の操作、例えば、表示、電話呼び出し、データ通信、カメラ操作及び記録操作に関連する操作を制御する。処理アセンブリ８０２は、上述の方法におけるステップの一部又は全部を実現できるように、インストラクションを実行する少なくとも１つのプロセッサ８２０を備えてもよい。なお、処理アセンブリ８０２は、他のアセンブリとのインタラクションの便宜上、少なくとも１つのモジュールを備えてもよい。例えば、処理アセンブリ８０２は、マルチメディアアセンブリ８０８とのインタラクションの便利を図るために、マルチメディアモジュールを備えてもよい。
【０１２６】
メモリ８０４は、装置８００における操作を支援するための、各種のデータを記憶するように構成される。これらのデータの例として、装置８００において操作される何れのアプリケーション又は方法に関するインストラクション、連絡先データ、電話帳データ、メッセージ、画像、ビデオ等を含む。メモリ８０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１２７】
電源アセンブリ８０６は、装置８００の各種アセンブリに電力を供給するためのものであり、電源管理システム、１つ又は複数の電源、及び装置８００のために電力を生成、管理及び分配することに関連のある他のアセンブリを備えてもよい。
【０１２８】
マルチメディアアセンブリ８０８は、装置８００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ８０８は、フロントカメラ及び／又はバックカメラを備えてもよい。装置８００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１２９】
オーディオアセンブリ８１０は、オーディオ信号を出力及び／又は入力するように構成される。例えば、オーディオアセンブリ８１０は、マイクロフォン（ＭＩＣ）を有してもよい。装置８００が、例えば呼び出しモード、記録モード又は音声認識モードのような操作モードにある場合、マイクロフォンは外部のオーディオ信号を受信するように構成される。受信されたオーディオ信号は、メモリ８０４に記憶されてもよく、通信アセンブリ８１６を介して送信されてもよい。何れかの実施例において、オーディオアセンブリ８１０は、オーディオ信号を出力するためのスピーカをさらに備えてもよい。
【０１３０】
Ｉ／Ｏインターフェース８１２は、処理アセンブリ８０２と周辺インターフェースモジュールとの間にインターフェースを提供するためのものである。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１３１】
センサアセンブリ８１４は、装置８００のために各方面の状態評価を提供するための少なくとも１つのセンサを備えてもよい。例えば、センサアセンブリ８１４は、装置８００のオン／オフ状態や、アセンブリの相対的な位置を検出することができる。例えば、前記アセンブリが装置８００のディスプレイ及びキーパッドである場合、センサアセンブリ８１４は、装置８００又は装置８００の１つのアセンブリの位置の変化や、ユーザと装置８００との接触の有無や、装置８００の方位又は加速／減速や、装置８００の温度変化を検出することができる。センサアセンブリ８１４は、何れの物理的接触もない状況にて付近の物体の有無を検出できるように構成される近接センサを含んでもよい。センサアセンブリ８１４は、さらに、画像表示技術分野に用いられる光センサ、例えばＣＭＯＳ又はＣＣＤ画像センサを含んでもよい。何れかの実施例において、当該センサアセンブリ８１４は、さらに、加速度センサ、ジャイロスコープセンサ、磁気センサ、圧力センサ又は温度センサを含んでもよい。
【０１３２】
通信アセンブリ８１６は、装置８００と他の設備との間の無線又は有線通信が便利になるように構成される。装置８００は、通信標準に基づく無線ネットワーク、例えばＷｉＦｉ、２Ｇ又は３Ｇ、又はそれらの組み合わせにアクセスできる。１つの例示的な実施例において、通信アセンブリ８１６は、ブロードキャストチャンネルを介して外部のブロードキャスト管理システムからのブロードキャスト信号又はブロードキャストに関する情報を受信することができる。１つの例示的な実施例において、前記通信アセンブリ８１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）（登録商標）技術及び他の技術により実現されてもよい。
【０１３３】
例示的な実施例において、装置８００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１３４】
例示的な実施例において、さらに、装置８００のプロセッサ８２０により実行されることにより上述の方法を実現可能なインストラクションが記憶され、且つコンピュータに読み取り可能な不揮発性の記録媒体、例えばインストラクションが記憶されているメモリ８０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１３５】
コンピュータに読み取り可能な不揮発性の記録媒体であって、
移動端末のプロセッサが前記記録媒体中のインストラクションを実行することにより、端末機器に、端末機器の無線ＬＡＮへの接続を制御する方法を実行させ、
前記方法は、
無線ＬＡＮの第１の接続情報を取得するステップと、
前記第１の接続情報が正しいか否かを検証するステップと、
前記第１の接続情報が正しいと判断された場合、第１の端末機器に前記接続情報を送信することにより、前記第１の端末機器が前記第１の接続情報を用いて前記無線ＬＡＮに接続するようにするステップとを含む、
記録媒体を提供する。
【０１３６】
図１４は、一つの例示的な実施例に係る端末機器の無線ＬＡＮへの接続を制御する装置１９００を示すブロック図である。例えば、装置１９００はサーバーとして提供されてもよい。装置１９００は、図１４に示すように、１つ以上のプロセッサを含む処理アセンブリ１９２２と、処理アセンブリ１９２２により実行される例えばアプリケーションプログラムなどのインストラクションを記憶するためのメモリ１９３２を代表とするメモリリソースとを含む。メモリ１９３２に記憶されるアプリケーションプログラムは、それぞれ一組のインストラクションに対応する１つ以上のモジュールを含んでもよい。
【０１３７】
なお、処理アセンブリ１９２２は、インストラクションを実行することにより、
スマート端末機器から送信され、且つ少なくとも前記第１の接続情報を含む接続情報転送要求を受信するステップと、
前記接続情報転送要求を解読して前記第１の接続情報を取得するステップと、
第２の端末機器に前記第１の接続情報を送信することにより、前記第２の端末機器が前記第２の端末機器中に前記第１の接続情報と同一の第３の接続情報が含まれているか否かを検出するようにするステップと、
前記第２の端末機器からの正しいという検出結果をスマート端末機器に送信することにより、前記スマート端末機器が前記第１の接続情報を第１の端末機器に送信して、第１の端末機器が前記第１の接続情報を用いて無線ＬＡＮに接続するようにするステップと
を含み、
前記正しいという検出結果は、前記第２の端末機器により、前記第２の端末機器中に前記第１の接続情報と同一の第３の接続情報が含まれていると検出された際に発生される検出結果である
方法を実行するように構成される。
【０１３８】
装置１９００は、さらに、装置１９００の電源管理を実施するように構成される電源アセンブリ１９２６と、装置１９００をネットワークに接続させるように構成される有線又は無線ネットワークインターフェース１９５０と、入力／出力（Ｉ／Ｏ）インターフェース１９５８とを備えてもよい。装置１９００は、メモリ１９３２に記憶された、例えばＷｉｎｄｏｗｓ  Ｓｅｒｖｅｒ（登録商標）、Ｍａｃ  ＯＳ  Ｘ（登録商標）、Ｕｎｉｘ（登録商標），  Ｌｉｎｕｘ（登録商標）、ＦｒｅｅＢＳＤ（登録商標）などのオペレーティングシステムに基づいて操作することができる。
【０１３９】
本発明は、さらに、例えば無線ＬＡＮに接続できるスマートパワーソケット、スマートカメラ等の機器のような端末機器を提供する。
【０１４０】
当該端末機器は、
プロセッサと、
プロセッサにより実行可能なインストラクションを記憶するためのメモリと
を備え、
前記プロセッサは、
スマート端末機器からネットワークデバイスに送信されてから、前記ネットワークデバイスにより送信されてくる第１の接続情報を受信し、
自機中に前記第１の接続情報と同一の第３の接続情報が記憶されているか否かを検出し、
自機中に前記第１の接続情報と同一の第３の接続情報が記憶されている場合、正しいという検出結果を取得し、
前記ネットワークデバイスに前記正しいという検出結果を送信することにより、前記ネットワークデバイスが前記正しいという検出結果をスマート端末機器に送信し、そして、前記スマート端末機器が前記第１の接続情報を第１の端末機器に送信して、前記第１の端末機器が前記第１の接続情報に基づいて無線ＬＡＮに接続する
ように構成される。
【０１４１】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１４２】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【０１４３】
本発明は、出願番号がＣＮ２０１５１００８０１６２．５であって、出願日が２０１５年２月１３日である中国特許出願に基づき優先権を主張し、当該中国特許出願のすべての内容を本願に援用する。
【図１】
0006500043.tif 000002
【図２】
0006500043.tif 000003
【図３】
0006500043.tif 000004
【図４】
0006500043.tif 000005
【図５】
0006500043.tif 000006
【図６】
0006500043.tif 000007
【図７】
0006500043.tif 000008
【図８】
0006500043.tif 000009
【図９】
0006500043.tif 000010
【図１０】
0006500043.tif 000011
【図１１】
0006500043.tif 000012
【図１２】
0006500043.tif 000013
【図１３】
0006500043.tif 000014
【図１４】
0006500043.tif 000015